(57)【要約】      （修正有）【課題】道具を用いずに簡単に組立分解できる、創造性涵養教材の部材を提供する。【解決手段】ストローなどの筒状体を有機的に組み合わせ、玩具など様々な構成体を製造できる接続体であって、接続体には、適度な摩擦保持力を持たせることで、挿入することにより部材の保持、回転、移動が行なえる。【選択図】図１
2016083180.tif 000002
【特許請求の範囲】
【請求項１】
中空部を有する、円筒状の樹脂体同士を組み合わせる手段であって、
前記樹脂体の外径を
前記樹脂体の中空開口部に挿入案内するように設けられたフレア部を少なくともとを有する接続体
１  筒状体と、
以下の（１）ないし（４）の特徴を有する接続部体との組み合わせから成る筒状体組み合わせ遊具
（１）筒状接続体であって、筒状体を圧入可能に挿入する孔部であって、この孔部への前記筒状体の挿入を案内する拡幅部を有する端部孔を有する接続体１
（２）筒状接続体であって、筒状体を摺動可能に挿入する挿入孔部を有する接続体２
（３）前記（１）に記載の端部孔と、前記（２）に記載の挿入孔部とを有する接続体３
（４）筒状接続体であって、端部に径拡張部を有し、前記の筒状体の内径に摺動可能に接触する摺動端部を有する接続体４
【発明の詳細な説明】
【技術分野】
【０００１】
この発明は、構成を容易に変換できる組立体に関し、更に詳しくは飲用ストローのような筒状の構成体を使用した組立体に関する。
以下説明において、ストローを用いた組立おもちゃを例として用いるが、本発明はこれのみにかかわらず、上水道用の塩化ビニル製パイプ、また折り畳み椅子に用いられるような中空金属製パイプなどを使用しても同様の構成、効果を得ることが可能である。
従って、本発明にかかる技術分野は、ストローを用いたおもちゃに限定されない。
【背景技術】
【０００２】
従来より、たとえば風車を作成する際には、紙やプラスティック片などを風車状にに成形し、その回転中心に、薄体針金や針のような細い金属線体を挿入し、これを割り箸など木製の持ち手に接続する風車が提供されている。
【先行技術文献】
【特許文献】
【０００３】
【特許文献１】特開２０１１−２１８１２８
【発明の概要】
【発明が解決しようとする課題】
【０００４】
たとえば、これらの風車を教材として提供した場合には、総じて（１）完成後はもとに戻さず、変更は考慮しない。（２）作成（製造）には、はさみ、カッター（小刀様切断具）、孔開け具、接着剤（糊）、粘着テープ、など製造用具を準備する必要がある。という特徴を有するものである。
これらは教育上必要なものではあるが、より簡易な手段で製作できれば、道具を扱えない幼少者、老年者などにも創作の楽しさを提供できることになり、無用な準備、予期せぬ怪我なども減らすこともでき、適用範囲をより広げることができる。
また、完成後の風車は容積が大となるため、運搬の際に破損しやすくなる。さらには、デザインに飽きがきたような場合には、廃棄する以外なかった。
【０００５】
本発明は、これらに鑑みた場合、たとえば風車の作成に対し、一切の組立用具を不要とでき、また組立後に元に戻すことができる風車を提供することが可能であり、さらには元に戻した際には、再使用可能な部品となるので、かさばることの無い運搬後に再度組み立てたり、別のデザインに組み立てることなどが任意に行なえる組立体を提供することにある。
また部品を種々組み合わせることにより、従前に無い新たなデザイン体、すなわち芸術作品として構成させることも要求される。
このような課題を満たす手段は提供されていない。
【課題を解決するための手段】
【０００６】
本発明による解決手段を説明すれば、
中空部を有する、円筒状の樹脂体同士を組み合わせる手段であって、
前記樹脂体の外径を
前記樹脂体の中空開口部に挿入案内するように設けられたフレア部を少なくともとを有する接続体
１  筒状体と、
以下の（１）ないし（４）の特徴を有する接続部体との組み合わせから成る筒状体組み合わせ遊具
（１）筒状接続体であって、筒状体を圧入可能に挿入する孔部であって、この孔部への前記筒状体の挿入を案内する拡幅部を有する端部孔を有する接続体１
（２）筒状接続体であって、筒状体を摺動可能に挿入する挿入孔部を有する接続体２
（３）前記（１）に記載の端部孔と、前記（２）に記載の挿入孔部とを有する接続体３
（４）筒状接続体であって、端部に径拡張部を有し、前記の筒状体の内径に摺動可能に接触する摺動端部を有する接続体４
尚、請求項に用いた語句は、少なくとも以下の意味を有する。
【０００７】
筒状体:  少なくとも略同平面形状の二面を有する柱体様、中空の場合を含み、茶筒状、円柱状、角柱状、樹脂製、金属製、紙製、木製等材質を問わない。樹脂のような若干の変形許容性を有するものが望ましい。  また、筒状体は直線状に限られず、Ｓ字状等の屈曲、三つ又状、Ｔ字等の枝状、放射状、を含み、前記接続体を接続し得る端部を有する箱体等部分的な筒状体を含む。
その材質は、形状記憶樹脂、形状記憶金属、異種膨張係数を有する柱体の組合せでも良い。
断面形状は、円形の他、楕円状、ハート型、星形、角形、動物の形、花形などを含む。
組合せ:複数の材料を接触結する接続であり、差し込み、嵌合結合、摺動結合、圧入、ねじ込みを含む。
拡幅部とは、前記挿入を補助または案内する部位であり、挿入後には隙間を生じ得る部位である。前記筒上部の少なくとも一部を案内することが可能であり、全周にわたる場合Ｎ他に、周回部の要部のみ、周回部への切り込み、間欠状配置、点状配置であっても案内可能な場合を含む。
遊具とは、玩具の他、教材、販促用小物、商品宣伝用ディスプレー、形状試作品を含む。
要約すれば、
ストローなどの筒状体を有機的に組み合わせ、玩具など様々な構成体を製造できる接続体の構造に関する。
筒状体の接続手段である接続体には、案内部を持つ端部孔、案内部の無い孔部などを有する。これらの接続には、筒状体の弾性変形にかかる圧入、摺動が利用される。各部は男性変形の範囲で使用可能なため、成を自在に解除し、変更することができる。
道具を用いずに簡単に組立分解できる、創造性涵養教材の部材を提供する。
言い換えると、
ストローなどの筒状体を有機的に組み合わせ、玩具など様々な構成体を製造できる接続体を示す。  接続体には、適度な摩擦保持力を持たせることにより、挿入することにより部材の保持、回転、移動が行なえる。これにより、様々な形状、構造を想像力を刺激させる骨組みによって作成できる。
【発明の効果】
【０００８】
本発明に係る柱状体接続具によれば、少なくとも以下の効果がある。
なおこれは本出願人による主観であり、これ以外の効果を否定するものでは無い。
特別な道具、接着剤を用いずに種々に接続可能であるため、様々な造形物を得ることができる。
これにより、種々の造形物を創作的に作成することができ、教育、リハビリテーション、などの用具に好適である。
また、創作物を容易に分解できるので、運搬の際の梱包が容易になる。
軽い材料を組み合わせて、全体として強度を持たせることができ、様々な実用製品を製作することができる。
使用材料の色彩を任意に選択することができるので、芸術作品の材料として使用することができる。
安全、安価でありかつ入手容易な材料を用いることができるので、子供の種々の玩具に用いることができる。
【図面の簡単な説明】
【０００９】
【図１】本発明にかかる、接続部体（１）を示す説明図。
【図２】本発明にかかる、接続部体（２）を示す説明図。
【図３】本発明にかかる、接続部体（３）を示す説明図。
【図４】本発明にかかる、接続部体（４）を示す説明図。
【図５】本発明にかかる、筒状体を示す説明図。
【図６】本発明にかかる、筒状体の接続を示す説明図。
【図７】本発明にかかる、筒状体の接続を示す説明図。
【図８】本発明にかかる、筒状体の接続を示す説明図。
【図９】本発明にかかる、筒状体の他の接続を示す説明図。
【図１０】本発明にかかり、風車を作成した場合の説明図。
【図１０−１】本発明にかかり、風車を作成した場合の説明図。
【図１０−２】本発明にかかり、風車を作成した場合の説明図。
【図１０−３】本発明にかかり、風車を作成した場合の説明図。
【図１０−４】本発明にかかり、風車を作成した場合の説明図。
【図１１】本発明にかかり、飛行機を作成した場合の説明図。
【図１２】本発明にかかり、頭部装着体を作成した場合の説明図。
【発明を実施するための形態】
【００１０】
次に図面を参照しながら、本発明に係る柱状体接続具を説明する。
なお、この説明は一例であり、これのみの形状、状況に限定するものではない。
図１は、本発明にかかる、接続部体（１）を示しており、各種の変形例を含んでいる。筒状接続部材１は、ストローの一部であり、図５に示す円柱状筒状体５を３ｃｍ程度に切断し、一方の端部を拡幅させフレア状に形成したものである。
切断せずにストローそのものを用いても良い。
たとえば直径６ｍｍの普及品を使うことができる。
円柱状筒状体５は、筒状接続部材１に対し図５に示すごとくに接続させることができる。これは、円柱状筒状体５の挿入圧力により、筒状接続部材１の外形が、微妙に増大するためである。
実験の結果、素材の選択により、筒状接続部材１、円柱状筒状体５ともに弾性変形の範囲で接続、脱着を行なうことができる。
すなわち、再度の接続が可能な状態に分解することができる。
しかも、接続時には実用性のある直線状を保つことができる。  このため、筒状接続部材１の他端をもフレア状にすることにより、両端接続体１０とすることで、両端部に円柱状筒状体５を接続し、円柱状筒状体５の直線状延長を行なうことができる。
フレア部１２の形状は、円柱状筒状体５の挿入を案内するものであり、段差の無い滑らかな曲率を有することが望ましい。
図２は、本発明にかかる、筒状接続部材２を示しており、円柱状筒状体５を適宜切断し、  または切断せずに用い。円柱状筒状体５より、わずかに直径の小さい孔（穴）を開けたものである。
孔の開口には、市販の書類穴明け器等を用いることができる。孔明け機の開口直径は６ｍｍは普通である。
この孔部２１に、円柱状筒状体５を挿入すると、孔部２１はわずかに弾性変形し、円柱状筒状体５を摺動、摺動回転可能に保持することができる。（図７）
摺動とは、互いに接触しあい、適度な保持力を有する接続であり、たとえば挿入したストローが振り動かしても、容易に抜けないが、指で引き抜けば容易に離れる程度の保持力である。
筒状接続部材２２は、変形例を表わし、孔部２１が複数設けられたものである。複数の孔部２１同士の間隔、相対角度を変化させることで変形例を種々構成できる。
この場合を筒状接続部材２２の断面２２−１として示す。
図３は、本発明にかかる、接続部体（３）を示す説明図であり、上述した筒状接続部材２  の一端部にフレア部１２を設けたものである。同様に、両端接続体１０に筒状接続部材２を設けた接続体３１、筒状接続部材２２に複数の孔部２１を設けた接続体３２を示す。
図４は本発明にかかる、接続部体４を示しており、接続部体４は筒状接続部材１の内部に摺動せずに挿入できる外形を有する。
実際には直径５ｍｍのストローであり、直径６ｍｍのストローを挿入した場合、理論的には接触しない、実際には接触しなから挿入できる。
樹脂同士のわずかな接触は、摺動とは異なり、互いに保持する力は無い。
ここで円柱状筒状体５には、フレア４１が儲けられており、筒状接続部材１の内部に摺動接続していることを示している。これにより、図の左右方向、及び回転方向に摺動接続させることができる。
接続部体４を図の右方向にさらに動かすと、フレア４１は筒状接続部材１から脱することになる。（図８）
この場合には、筒状接続部材１と接続部体４とは摺動せずに関係し、かつ筒状接続部材１は接続部体４からは容易に分離せず若干の確保力が働く。
これは、接続部体４のフレア４１が、筒状接続部材１の内径内で変形していたのちに、筒状接続部材１の内径から脱したことで、フレア４１の弾性変形が復帰し、筒状接続部材１の内径を上回るためである。
図９は、上述の接続体は、様々に組み合わせて使用できることを表わしている。
その一例として、組み合わせ９０は、筒状接続部材１を接続体３１と、組み合わせ９１は、接続体３１と筒状接続部材１とを、組み合わせ９２は、筒状接続部材２の両端に筒状接続部材１と筒状接続部材１とを組み合わせた例である。
尚、接続体の最小の長さは、フレア部１２、孔部２１を設けることができる長さということが言える。
図１０に、上述の接続体と、折り紙１００とを組み合わせて風車とした例を示す。
【００１１】
折り紙１００には、切り込み１０１が図に示すように４本と、孔１０２が中心に１個と、端部４個設けられている。  この孔は、パンチ（穴開け）によって設けることができる。  図１０−１は、風車単体を組み立てる説明であり、折り紙１００に普通の１５ｃｍのものを使用した場合に、まず筒状接続部材１（直径６ｍｍ長さ３５ｍｍ）に、折り紙１００の中心穴１０２を挿入。
次にスペーサ（７ｍｍ径、長さ２５ｍｍ）を挿入し、４隅の孔１０２を挿入（風車の羽になる部分であるため、ゆるやかに内側に丸めるように挿入する。）
４隅をの孔１０２をスペーサ１０３上に突出した筒状接続部材１に挿入したのち、筒状接続部材１（１０ｍｍ）を挿入。
これにより、風車１１０が出来る。（図１０ー２）
風車１１０の中心には、接続部体４（７０ｍｍ）を、筒状接続部材１の他端に出るまで挿入する。
これにより、接続部体４を保持することによって、接続部体４を回転軸とした風車１１０は、わずかな風によって自由に回転する。（図１０−２）
この接続部体４を、円柱状筒状体５に接続した筒状接続部材１に挿入することで、円柱状筒状体５を支持する手持ち風車を構成することができる。
この場合、両端接続体１０には、両端に筒状接続部材１が挿入されているので、風車１１０を２個取り付けることができる。（図１０−３）
風車１１０の直径は、折り紙１００の大きさを変更することにより種々変わることは徒然である。  
その場合には、筒状接続部材１などの長さを適宜変更しても良い。
図１０ー４は、風車１１０が円柱状筒状体５に接続された状態を示し、特に、接続部体４が挿入されるときに筒状接続部材１の後端部を越えることにより、接続部体４のフレア部が若干戻ることで、カチッという挿入感を得られ、かつ風車１１０が自然には落ちないだけの適度な保持力を持つことを表わしている。
この場合でも風車１１０は、接続部体４の先端を持って風車１１０とともに、筒状接続部材１から引き抜くことができる。
【００１２】
すなわり、適宜着脱ができるということであり、これにより風車の色、形状を変えることができる他、風車１１０の方向を表裏変換して挿入することもでき、反応する風の方向、または折り紙１００の折り方の違うものを取り付けて、回転方向を変えることも容易である。  これらが、複数付くことにより、応用範囲が大きい風車を提供することができる。
図１１は、上述に係る接続体を用いた造形物の別の例を示しており、双発のプロペラ飛行機を構成した場合を示している。
風車１１０、円柱状筒状体５、接続体３１等は、上述の構成体を用いていることを指名している。
この場合の水平尾翼、垂直尾翼は円柱状筒状体５を適宜切断し、翼１１１としている。  本発明は、これに限らず、種々様々な構成物ができることを説明しており、たとえば自動車の構造体を構成し、強度の簡易試験に用いることも可能である。
また、ストローではなく、樹脂製水道管、金属管などを用いれば、簡易組立式テント、温室、凧など構体の目的に強度に応じた材料に適用することが可能である。
図１２の如く、頭や帽子に取り付け可能な風車枠体１２１を構成することもできる。
【産業上の利用可能性】
【００１３】
小中学校に於ける図画工作、理科、美術等の教育用、化学における分子構造体作成用、老人福祉施設等の娯楽提供用、神経筋肉などのリハビリテーション用具材、雑誌等の付録、販売宣伝用の付録物、店頭での商品宣伝用ディスプレー等様々な用途において、安全、安価に提供できる風車などの創作物として利用できる。
風車等は組立式として、紙面で部品と出来るので、写真、文言等を入れることも容易である。
【符号の説明】
【００１４】
１  筒状接続部材    
２  筒状接続部材    
３  接続体
４  接続部体
５１  不規則状筒状体    
５２  角柱状筒状体    
【図１】
2016083180.tif 000003
【図２】
2016083180.tif 000004
【図３】
2016083180.tif 000005
【図４】
2016083180.tif 000006
【図５】
2016083180.tif 000007
【図６】
2016083180.tif 000008
【図７】
2016083180.tif 000009
【図８】
2016083180.tif 000010
【図９】
2016083180.tif 000011
【図１０】
2016083180.tif 000012
【図１０−１】
2016083180.tif 000013
【図１０−２】
2016083180.tif 000014
【図１０−３】
2016083180.tif 000015
【図１０−４】
2016083180.tif 000016
【図１１】
2016083180.tif 000017
【図１２】
2016083180.tif 000018